(57)【要約】【課題】照明負荷の明るさを制御する調光装置、調光制御用プログラム、及び調光装置システムにおいて複数シーンを同時にクロスチェンジできるようにする。【解決手段】調光装置は所定スイッチが押下されると、再生中の１乃至複数のシーン再生状態（クロスチェンジ元のシーン再生状態）を記憶し（＃２１）、この状態を保持しつつ他の１乃至複数のシーン再生状態（クロスチェンジ先のシーン再生状態）の設定を受け付ける（＃２２，＃２３）。クロスチェンジ先のシーン再生状態が設定されると（＃２３でＹＥＳ）、クロスチェンジ動作が成され（＃２５〜＃２９）、クロスチェンジ元及びクロスチェンジ先のシーン再生状態、並びにクロスチェンジする際に操作されるフェーダのレベルＬｖに基づいて、クロスチェンジ元のシーン再生状態からクロスチェンジ先のシーン再生状態にクロスチェンジする際の照明負荷に対する出力レベルを決定し、照明負荷を制御する。【選択図】図６
2006147489.tif 000002
【特許請求の範囲】
【請求項１】
１乃至複数の照明負荷からなる制御単位を指定する手段と、この指定した制御単位に対応した出力レベルを設定する手段と、この設定した出力レベルを基にした各シーン毎の出力レベルを設定して記憶手段に記憶させる操作手段と、記憶された出力レベルに基づいて照明負荷を調光制御してシーンを再生させる制御手段と、を備えた調光装置において、
１乃至複数のシーン再生状態（以下、クロスチェンジ元のシーン再生状態）から他の１乃至複数のシーン再生状態（以下、クロスチェンジ先のシーン再生状態）にクロスチェンジするクロスチェンジ手段を備え、
前記クロスチェンジ手段は、
前記クロスチェンジ元のシーン再生状態を保持しつつ前記クロスチェンジ先のシーン再生状態の設定を受け付ける第１の手段と、
前記第１の手段による設定がなされた後に、前記クロスチェンジ元のシーン再生状態から前記クロスチェンジ先のシーン再生状態にクロスチェンジする第２の手段とを備えたことを特徴とする調光装置。
【請求項２】
照明負荷を調光制御してシーンを再生させるためのコンピュータに、１乃至複数のシーン再生状態（以下、クロスチェンジ元のシーン再生状態）から他の１乃至複数のシーン再生状態（以下、クロスチェンジ先のシーン再生状態）にクロスチェンジする手順を実行させるための調光制御用プログラムであって、
前記クロスチェンジ元のシーン再生状態を保持しつつ前記クロスチェンジ先のシーン再生状態の設定を受け付ける第１の手順と、
前記第１の手順による設定がなされた後に、前記クロスチェンジ元のシーン再生状態から前記クロスチェンジ先のシーン再生状態にクロスチェンジする第２の手順とを備えたことを特徴とする調光制御用プログラム。
【請求項３】
１乃至複数の照明負荷からなる制御単位を指定する手段、この指定した制御単位に対応した出力レベルを設定する手段、及びこの設定した出力レベルを基にした各シーン毎の出力レベルを設定して記憶手段に記憶させる操作手段を有する調光装置と、
前記調光装置を遠隔制御して前記記憶手段に記憶された出力レベルに基づいて照明負荷を調光制御してシーンを再生させる遠隔制御装置と、
を備えた調光装置システムにおいて、
前記遠隔制御装置による遠隔制御に基づいて、１乃至複数のシーン再生状態（以下、クロスチェンジ元のシーン再生状態）から他の１乃至複数のシーン再生状態（以下、クロスチェンジ先のシーン再生状態）にクロスチェンジするクロスチェンジ手段を備え、
前記クロスチェンジ手段は、
前記クロスチェンジ元のシーン再生状態を保持しつつ前記クロスチェンジ先のシーン再生状態の設定を受け付ける第１の手段と、
前記第１の手段による設定がなされた後に、前記クロスチェンジ元のシーン再生状態から前記クロスチェンジ先のシーン再生状態にクロスチェンジする第２の手段とを備えたことを特徴とする調光装置システム。
【発明の詳細な説明】
【技術分野】
【０００１】
本発明は、照明負荷の明るさを制御する調光装置と調光制御用プログラム及び調光装置システムに関する。
【背景技術】
【０００２】
従来から、複数の照明負荷（ランプ）を制御して、舞台やホール等の照明演出を行う調光装置があり、このような調光装置として、シーン毎に予め設定された調光制御データをデータ記憶部に記憶しておき、照明演出時に、この調光制御データに基づいて照明負荷を制御して、種々のシーンを再生する装置が知られている。
【０００３】
また、複数のシーンレベル制御用のフェーダを具備し、これらフェーダによって設定されたシーンレベルに基づいて照明負荷を制御して、複数のシーンを合成して照明演出することができる調光装置や（例えば、特許文献１参照）、いわゆるクロスフェーダを具備し、クロスフェーダによって設定されたレベルに応じて、予め設定された１シーンと、現在演出中の１シーンとをクロス的に転換する（１シーン対１シーンのクロスチェンジ）ことができる調光装置等も知られている。
【特許文献１】特開２００４−１２７７２２号公報
【発明の開示】
【発明が解決しようとする課題】
【０００４】
しかしながら、従来の調光装置においては、複数のシーン再生状態から他の複数のシーン再生状態にクロスチェンジすることできる調光装置は知られておらず、照明演出の種類として制限があった。特に、小型の簡易型調光装置においては、設定できるシーン数に限りがあり、複数シーンの合成や、１シーン対１シーンのクロスチェンジによる演出のみでは、照明演出の幅が狭くなる虞があった。
【０００５】
本発明は、上記課題を解決するものであり、複数シーンを同時にクロスチェンジすることができる調光装置と調光制御用プログラム及び調光装置システムを提供することを目的とする。
【課題を解決するための手段】
【０００６】
請求項１の発明は、１乃至複数の照明負荷からなる制御単位を指定する手段と、この指定した制御単位に対応した出力レベルを設定する手段と、この設定した出力レベルを基にした各シーン毎の出力レベルを設定して記憶手段に記憶させる操作手段と、記憶された出力レベルに基づいて照明負荷を調光制御してシーンを再生させる制御手段と、を備えた調光装置において、１乃至複数のシーン再生状態（以下、クロスチェンジ元のシーン再生状態）から他の１乃至複数のシーン再生状態（以下、クロスチェンジ先のシーン再生状態）にクロスチェンジするクロスチェンジ手段を備え、前記クロスチェンジ手段は、前記クロスチェンジ元のシーン再生状態を保持しつつ前記クロスチェンジ先のシーン再生状態の設定を受け付ける第１の手段と、前記第１の手段による設定がなされた後に、前記クロスチェンジ元のシーン再生状態から前記クロスチェンジ先のシーン再生状態にクロスチェンジする第２の手段とを備えたことを特徴とする。
【０００７】
請求項２の発明は、照明負荷を調光制御してシーンを再生させるためのコンピュータに、１乃至複数のシーン再生状態（以下、クロスチェンジ元のシーン再生状態）から他の１乃至複数のシーン再生状態（以下、クロスチェンジ先のシーン再生状態）にクロスチェンジする手順を実行させるための調光制御用プログラムであって、前記クロスチェンジ元のシーン再生状態を保持しつつ前記クロスチェンジ先のシーン再生状態の設定を受け付ける第１の手順と、前記第１の手順による設定がなされた後に、前記クロスチェンジ元のシーン再生状態から前記クロスチェンジ先のシーン再生状態にクロスチェンジする第２の手順とを備えたことを特徴とする。
【０００８】
請求項３の発明は、１乃至複数の照明負荷からなる制御単位を指定する手段、この指定した制御単位に対応した出力レベルを設定する手段、及びこの設定した出力レベルを基にした各シーン毎の出力レベルを設定して記憶手段に記憶させる操作手段を有する調光装置と、前記調光装置を遠隔制御して前記記憶手段に記憶された出力レベルに基づいて照明負荷を調光制御してシーンを再生させる遠隔制御装置と、を備えた調光装置システムにおいて、前記遠隔制御装置による遠隔制御に基づいて、１乃至複数のシーン再生状態（以下、クロスチェンジ元のシーン再生状態）から他の１乃至複数のシーン再生状態（以下、クロスチェンジ先のシーン再生状態）にクロスチェンジするクロスチェンジ手段を備え、前記クロスチェンジ手段は、前記クロスチェンジ元のシーン再生状態を保持しつつ前記クロスチェンジ先のシーン再生状態の設定を受け付ける第１の手段と、前記第１の手段による設定がなされた後に、前記クロスチェンジ元のシーン再生状態から前記クロスチェンジ先のシーン再生状態にクロスチェンジする第２の手段とを備えたことを特徴とする。
【発明の効果】
【０００９】
本発明の調光装置と調光制御用プログラム及び調光装置システムによれば、クロスチェンジ元の複数シーン再生状態からクロスチェンジ先の複数シーン再生状態にクロスチェンジさせることができるので、照明演出の幅が広くなる。
【発明を実施するための最良の形態】
【００１０】
以下、本発明の第１の実施形態に係る調光装置について、図１乃至図８を参照して説明する。調光装置１は、照明負荷８を調光制御してシーンを再生させるための装置であり、表示部２、操作入力部３、中央演算処理部４、データ記憶部５、及び出力部６を備えている。
【００１１】
表示部２は、各操作ボタン等を表示させる液晶ディスプレイやＬＥＤ表示器等により構成され、調光装置１の操作、設定に必要な各画面を表示するマン・マシンインターフェースとして機能する。また、操作入力部３は、図２に示されるような各種のフェーダ、スイッチを備えた調光卓３０や、図３に示されるような液晶ディスプレイ上のタッチパネル５０等により構成され、マン・マシンインターフェースとして機能する。
【００１２】
中央演算処理部４は、調光装置１全般の信号処理を行い、各種信号の入出力制御や、調光制御データ（後述する最終出力レベル等）の演算等を実施する。また、中央演算処理部４は、後述する複数シーンクロスチェンジ処理を実行することによりクロスチェンジ手段として機能する。データ記憶部５は、操作入力部３によって設定された各シーンの各回路の出力レベルを中央演算処理部４の制御の下で記憶する。出力部６は、中央演算処理部４で演算された調光制御データに基づいて調光器７へ調光制御信号（例えば、ラィティングコントロールとして規格化されたＤＭＸ５１２形式の制御信号）を出力する。なお、調光器７は調光制御信号によって照明負荷８を所定の光出力レベルとなるように調光制御する。
【００１３】
このような構成は汎用コンピュータを用いて実現できるもので、この場合、汎用コンピュータの外部記憶装置を通じて、記憶媒体に記録されている本発明の調光方法を実現するためのプログラムを主記憶装置にロードして実行することにより調光装置１が実現できる。
【００１４】
図２に示されるように、調光卓３０は、各シーンに使用される各回路の出力レベルをデータ記憶部５に記憶する際に操作するシーン記憶用スイッチ３１と、データ記憶部５に記憶されている各シーンの各回路の出力レベルを修正する際に操作するシーン修正用スイッチ３２と、データ記憶部５に記憶されている各シーンの各回路の出力レベルを消去する際に操作するシーン削除用スイッチ３３と、これらスイッチ３１，３２，３３の操作対象を選択する際に操作するシーン選択スイッチ３４とを備えている。
【００１５】
また、調光卓３０は、シーンレベルフェーダ３５ａ〜３５ｊと、シーンレベル表示部３６と、メインレベルフェーダ３７と、レベル表示部３８と、クロススイッチ３９と、セットスイッチ４０とを備えている。
【００１６】
シーンレベルフェーダ３５ａ〜３５ｊは、シーン番号”１”からシーン番号”１０”に対応して設けられ、図において上方又は下方へ操作することで、各シーンのシーンレベルをアップ／ダウンさせることができるようになっている（以下、シーンレベルフェーダ３５ａ〜３５ｊにより設定された、シーン番号ｊに対するシーンレベルをＬｓ［ｊ］とする）。シーンレベルＬｓ［ｊ］は、各シーンレベルフェーダ３５ａ〜３５ｊの上方に設けてある２桁の７セグメント表示器からなるシーンレベル表示部３６で表示される。ユーザは、シーンレベル表示部３６の表示内容を見ることで現在の操作によるシーンレベルＬｓ［ｊ］を知ることができる。
【００１７】
メインレベルフェーダ３７は、シーン編集の際にシーン内の各回路のレベル調節に用いられる他、後述するクロスチェンジモードにおいて、クロスチェンジのレベルを調整する際に用いられる（以下、メインレベルフェーダ３７により設定されたレベルをＬｖとする）。メインレベルフェーダ３７により設定されたレベルＬｖは、メインレベルフェーダ３７の上方に設けてある２桁の７セグメント表示器からなるレベル表示部３８で表示される。
【００１８】
クロススイッチ３９は、クロスチェンジモードに移行する際に操作される。セットスイッチ４０は、シーン編集の際にシーン内の回路の出力レベルを確定する際に操作される他、クロスチェンジモードにおいて、クロスチェンジ先のシーン再生状態の設定を確定する際に操作される。
【００１９】
図３に示されるタッチパネル５０は、舞台等における照明負荷からなる制御単位を回路表示５１で示しており、ユーザは、この回路表示５１をタッチ操作することでシーン編集の対象となる回路を指定する。
【００２０】
次に、上記調光卓３０及びタッチパネル５０を操作して、各シーン毎に各回路の出力レベルを設定してシーン編集し、編集されたシーンの各回路の出力レベルをデータ記憶部５に記憶する際の手順を説明する。
【００２１】
ユーザは、まず、調光卓３０のシーン記憶用スイッチ３１を押下すると共に、シーン編集を行うシーンをシーン選択スイッチ３４で選択する。そして、タッチパネル５０に表示された回路表示５１からシーンに使用する回路（制御単位）を指定し、調光卓３０のメインレベルフェーダ３７を操作して、その出力レベルを設定する。そして、セットスイッチ４０を押下することで、この回路の出力レベルを確定させ、そのデータをデータ記憶部５に記憶する。このような回路の指定、及び指定した回路に対する出力レベルの設定を繰り返すことにより、シーン選択スイッチ３４で選択したシーンを編集する。
【００２２】
次に、照明負荷８を調光制御してシーンを再生させる際の調光装置１の動作について説明する。調光装置１は、図４のフローチャート及び図５の演算モデルで示されるハイエスト演算処理を実行して調光器７に出力する最終出力レベルを決定することにより、各シーンを単独で、又は複数シーンを合成してシーン再生する。
【００２３】
ハイエスト演算処理が開始されると、中央演算処理部４は、回路番号ｉの値を”１”に設定する共に（＃１）、最終出力レベルＺ［１］の値を”０”（０％）に初期化する（＃２）。そして、シーン番号ｊの値を”１”に設定し（＃４）、シーン番号”１”の回路番号”１”の出力レベルＡ［１］［１］をデータ記憶部５から読み出して、これにシーンレベルフェーダ３５ａによって設定されているシーンレベルＬｓ［１］を積算する。そして、この積算値が、既に記憶されている最終出力レベルＺ［１］の値より大きいか否か判断する（＃６）。積算値が、既に記憶されている最終出力レベルＺ［１］の値より大きければ（＃６でＹＥＳ）、Ｚ［１］に積算値を代入し（＃７）、シーン番号ｊの値をインクリメントして（＃８）、ステップ＃５からの処理を繰り返す。一方、積算値が既に記憶されているＺ［１］の値以下であれば（＃６でＮＯ）、Ｚ［１］の値を変更せず、シーン番号ｊの値をインクリメントして（＃８）、ステップ＃５からの処理を繰り返す。シーン番号”１”からシーン番号”ｎ”（”ｎ”は設定可能なシーン数を示し、例えば、本実施形態では”１０”）まで、ステップ＃５からステップ＃８までの処理が繰り返されることにより、全てのシーンのうちで、最大となる出力レベル（Ａ［ｊ］［１］とＬｓ［ｊ］の積算値）が最終出力レベルＺ［１］として決定する。回路番号”１”について最終出力レベルＺ［１］が決定すると（＃５でＹＥＳ）、回路番号ｉの値をインクリメントして（＃９）、ステップ＃２からの処理を繰り返し、以下、同様に回路番号”２”から回路番号”ｍ”（”ｍ”は設定可能な回路数を示し、例えば、本実施形態では”１７”（図３の回路表示５１参照））について、最終出力レベルＺ［ｉ］を決定する。以上のような処理により、各回路番号”１”〜”ｍ”について、シーン番号”１”〜”ｊ”のうちで最も大きな出力レベルが最終出力レベルＺ［ｉ］として設定され、各シーンが合成される。
【００２４】
次に、本発明の特徴である複数シーンクロスチェンジ処理について、図６及び図７のフローチャートを参照して説明する。調光装置１は、上記ハイエスト演算処理により調光制御が行われている状態で、クロススイッチ３９が押下されると、クロスチェンジモードに移行する。なお、以下においては、クロスチェンジモード以外の制御状態を通常モードとし、クロスチェンジモードと通常モードを区別する。
【００２５】
クロスチェンジモードに移行すると、中央演算処理部４は、クロススイッチ３９押下時の各シーンレベルフェーダ３５ａ〜３５ｊのシーンレベルＬｓ［ｊ］をクロスチェンジ元のシーンレベルＬｘ［ｊ］として記憶する（＃２１）。そして、シーンレベルフェーダ３５ａ〜３５ｊのシーンレベルＬｓ［ｊ］を最終出力レベルＺ［ｉ］の演算から切り離すと共に（すなわち、シーンレベルフェーダ３５ａ〜３５ｊを操作しても実際のシーン再生状態には反映されないようにする）、シーンレベル表示部３６のシーンレベルＬｓ［ｊ］の表示を”０”にして、クロスチェンジ先のシーンレベルの設定を受け付け、セットスイッチ４０が押下されたか否か判断する（第１の手段，第１の手順）（＃２２，＃２３）。ユーザはこの状態でシーンレベルフェーダ３５ａ〜３５ｊを操作してクロスチェンジ先のシーンレベルを設定し、設定が終了するとセットスイッチ４０を押下する。
【００２６】
なお、この際、シーンレベルフェーダ３５ａ〜３５ｊを操作する代わりにシーン選択スイッチ３４を操作してクロスチェンジ先のシーンレベルを設定するようにしてもよい。この場合、シーン選択スイッチ３４が奇数回だけ押下されたときには、シーンレベルＬｓ［ｊ］を”１”（１００％）とし、シーン選択スイッチ３４が０回又は偶数回だけ押下されたときには、シーンレベルＬｓ［ｊ］を”０”（０％）とする。
【００２７】
ユーザによりセットスイッチ４０が押下されると（＃２３でＹＥＳ）、セットスイッチ４０押下時のシーンレベルＬｓ［ｊ］をクロスチェンジ先のシーンレベルＬｙ［ｊ］として記憶する（＃２４）。次いで、ステップ＃２５からステップ＃２９までの処理を実行することにより、クロスチェンジ元のシーン再生状態からクロスチェンジ先のシーン再生状態にクロスチェンジする（第２の手段，第２の手順）。このクロスチェンジ動作は、まず、メインレベルフェーダ３７のレベルＬｖを”０”に設定して（＃２５）、クロスチェンジモード時の最終出力レベル演算処理を実行する（＃２７）ことにより成される。なお、ステップ＃２３においてセットスイッチ４０が押下されると（＃２３でＹＥＳ）、シーンレベルフェーダ３５ａ〜３５ｊのシーンレベルＬｓ［ｊ］の表示をクロスチェンジする前の状態にする。
【００２８】
図７に示されるように、クロスチェンジモード時の最終出力レベル演算処理においては、まず、シーン番号ｊの値に”１”を設定し（＃４１）、クロスチェンジ中のシーンレベルＬｚ［１］の値を”０”に初期化する（＃４２）。次に、以下の式（１）によりクロスチェンジ中のシーンレベルＬｚ［１］を算出する（＃４４）。そして、シーン番号ｊの値をインクリメントして（＃４５）、ステップ＃４２からの処理を繰り返すことにより全てのシーンのシーンレベルＬｚ［ｊ］を決定する。
（数１）
Ｌｚ［ｊ］＝Ｌｙ［ｊ］×Ｌｖ＋Ｌｘ［ｊ］×（１−Ｌｖ）      （１）
【００２９】
そして、全てのシーンのシーンレベルＬｚ［ｊ］が決定すると（＃４３でＹＥＳ）、このシーンレベルＬｚ［ｊ］を用いてハイエスト演算処理を実施し（すなわち、図４のハイエスト演算処理において、Ｌｓ［ｊ］の代わりにＬｚ［ｊ］を用いる）、クロスチェンジモード時の最終出力レベルＺ［ｉ］を算出する（＃４６）。
【００３０】
上記演算処理が終了すると、中央演算処理部４は、最終出力レベルＺ［ｉ］を調光器７に出力すると共に（図６の＃２８）、メインレベルフェーダ３７からのレベルＬｖの入力を受け付け（＃２９）、以下、レベルＬｖの値が”１”（１００％）になるまで（＃２６でＮＯ）、ステップ＃２６からステップ＃２９までの処理を繰り返し、レベルＬｖに応じた最終出力レベルＺ［ｉ］を調光器７に出力する。そして、レベルＬｖの値が”１”になると（すなわち、クロスチェンジ先のシーン再生状態になると）（＃２６でＮＯ）、通常モードへ移行する。
【００３１】
なお、クロスチェンジモードから通常モードへの移行は、上記レベルＬｖが”１”になった場合（＃２６でＮＯ）のみならず、例えば、クロスチェンジモード中に、再度、クロススイッチ３９が押下された場合についてもクロスチェンジモードを中断して通常モードへ移行できるようにしてもよい。この場合、上記クロスチェンジモード時の最終出力レベル演算処理により算出されたシーンレベルＬｚ［ｊ］を通常モード時のシーンレベルＬｓ［ｊ］として設定することによって、クロスチェンジの途中でクロスチェンジモードを中断しても、明りが急激に変化しないようにすることができる。
【００３２】
図８は上記複数シーンクロスチェンジ処理により、複数シーンを同時にクロスチェンジする場合の説明図である。同図は、”回路１”（回路番号”１”）、”回路２”、及び”回路３”により”シーン１”（シーン番号”１”）が構成され、”回路４”、”回路５”、及び”回路６”により”シーン２”が構成され、”回路７”、”回路８”及び”回路９”により”シーン３”が構成される例を示している。通常モード時のシーン再生状態６１として、”シーン１”のシーンレベルを１００％（Ｌｓ［１］＝１）、”シーン２”のシーンレベルを８０％（Ｌｓ［２］＝０．８）、及び”シーン３”のシーンレベルを０％（Ｌｓ［３］＝０）に設定した状態において、クロススイッチ３９が押下されると、調光装置１は、クロスチェンジ先のシーンレベルを受け付けるモードに移行する。ここで、ユーザがシーンレベルフェーダ３５ａ〜３５ｊを操作して、クロスチェンジ先のシーンレベルとして、”シーン１”のシーンレベルを１００％（Ｌｓ［１］＝１）、”シーン２”のシーンレベルを０％（Ｌｓ［２］＝０）、及び”シーン３”のシーンレベルを１００％（Ｌｓ［３］＝１）に設定し、セットスイッチ４０を押下すると、クロスチェンジ元のシーン再生状態からクロスチェンジ先のシーン再生状態にクロスチェンジするモードに移行する。そして、メインレベルフェーダ３７のレベルＬｖが”０”（０％）から”１”（１００％）に向けて操作されるにしたがって、クロスチェンジ元のシーン再生状態６１からクロスチェンジ先のシーン再生状態６２に徐々に移行し、最終的にレベルＬｖが”１”となった時点でクロスチェンジ先のシーン再生状態６２となり、クロスチェンジモードから通常モードに移行する。
【００３３】
本実施形態の調光装置１によれば、クロスチェンジ元の複数シーン再生状態からクロスチェンジ先の複数シーン再生状態にクロスチェンジさせることができるので、照明演出の幅が広くなる。
【００３４】
また、クロスチェンジ元のシーンレベルＬｘ［ｊ］及びクロスチェンジ先のシーンレベルＬｙ［ｊ］を”０”（０％）〜”１”（１００％）の間で任意に設定できるので、クロスチェンジ元のシーン及び／又はクロスチェンジ先のシーンを様々な条件で合成して、クロスチェンジさせることができる。
【００３５】
また、従来の調光装置においては、基本的なシーンが２シーン（シーンＡ、シーンＢ）ある場合、双方のシーンに、ある回路（Ｘ回路）を追加したシーンを演出しようとすると、シーンＡ、シーンＢ、シーンＡにＸ回路を追加したシーンＣ、及びシーンＢにＸ回路を追加したシーンＤの４シーンを用意することが必要となるが、本実施形態の調光装置によれば、複数シーンを同時にクロスチェンジすることができるので、シーンＡ、シーンＢ、及びＸ回路だけで構成されたシーンＸの３シーンを用意するだけでよい。すなわち、基本シーン数をＮ、追加する回路（複数回路の組み合わせでもよい）数をＭとすると、従来の調光装置ではＮ×Ｍ個のシーンを要するが、本実施形態によれば、Ｎ＋Ｍ個のシーンだけ用意すればよい。このため、本実施形態の調光装置１は、例えば、設定できるシーン数に限りがある小型の簡易型調光装置に適用した場合においても、照明演出の幅を広げることができる。
【００３６】
また、本実施形態によれば、クロススイッチ３９が押下されてクロスチェンジモードに移行したときに、メインレベルフェーダ３７を用いてクロスチェンジさせることができるので、複数シーンのクロスチェンジ用に新たなフェーダを用意する必要がない。
【００３７】
次に、本発明の第２の実施形態に係る調光装置について、図９乃至図１８を参照して説明する。本実施形態の調光装置１は、シーンＡからシーンＢにクロスチェンジ（１シーン対１シーンのクロスチェンジ）するクロスＡＢ処理、及び特定の回路について上記ハイエスト演算処理から切り離して優先制御する優先制御処理が、通常モードにおいて実行可能な点で第１の実施形態と異なる。
【００３８】
図９に示されるように、本実施形態に使用される調光卓３０は、クロスＡＢ処理を実行する際に操作されるクロスフェーダ部４１を備えている。クロスフェーダ部４１は、任意の１シーン（シーンＡ）のクロスチェンジレベルＬａを設定するクロスフェーダ４１ａと、他の任意の１シーン（シーンＢ）のクロスチェンジレベルＬｂを設定するクロスフェーダ４１ｂとを有している。クロスＡＢ処理は、例えば、クロスフェーダ部４１が操作されることにより実行される。
【００３９】
図１０のフローチャート及び図１１の演算モデルを参照して、クロスＡＢ処理時の出力レベル演算処理（以下、クロスＡＢ演算処理という）について説明する。クロスＡＢ演算処理が開始されると、中央演算処理部４は、回路番号ｉの値を”１”に設定する共に（＃６１）、出力レベルＱ［１］の値を”０”に初期化する（＃６２）。そして、シーンＡとして選択されたシーンの出力レベルＡ［ａ］［１］（”ａ”はシーンＡのシーン番号）及びシーンＢとして選択されたシーンの出力レベルＡ［ｂ］［１］（”ｂ”はシーンＢのシーン番号）をデータ記憶部５から読み出して、以下の式（２）を用いて出力レベルＱ［１］を算出する（＃６４）。
（数２）
Ｑ［ｉ］＝Ａ［ａ］［ｉ］×Ｌａ＋Ａ［ｂ］［ｉ］×Ｌｂ      （２）
【００４０】
そして、回路番号ｉの値をインクリメントして（＃６５）、ステップ＃６２からの処理を繰り返すことにより全ての回路番号ｉについて出力レベルＱ［ｉ］を決定する。全ての回路番号ｉについて出力レベルＱ［ｉ］が決定すると（＃６３でＹＥＳ）、クロスＡＢ演算処理を終了する。このようなクロスＡＢ演算処理を、クロスフェーダ４１ａ，４１ｂが操作される毎に繰り返すことにより、クロスＡＢ処理の際の出力レベルＱ［ｉ］が決定する。
【００４１】
次に、優先制御処理について説明する。優先制御処理は、例えば、図１２に示される優先回路設定処理、及び図１３に示される優先制御処理時の最終出力レベル演算処理により構成される。優先回路設定処理は、例えば、シーン再生中、タッチパネル５０の回路表示５１により優先制御する回路が指定され、メインレベルフェーダ３７によりこの回路の出力レベルが設定され、セットスイッチ４０により出力レベルが確定することにより実行される。
【００４２】
優先回路設定処理において、中央演算処理部４は、回路番号ｉのレベルＬｖが確定すると（＃８１でＹＥＳ）、レベルＬｖの値を優先出力レベルＳ［ｉ］として記憶と共に（＃８２）、回路番号ｉの優先フラグＦ［ｉ］をＯＮにし（＃８３）、優先制御処理時の最終出力レベルＺ［ｉ］を決定する演算処理を実行する。
【００４３】
優先制御処理時の最終出力レベル演算処理において、中央演算処理部４は、回路番号ｉの値を”１”に設定する共に（＃１０１）、最終出力レベルＺ［１］の値を”０”に初期化する（＃１０２）。そして、優先フラグＦ［１］がＯＮか否か判断し（＃１０４）、優先フラグＦ［１］がＯＮであれば（＃１０４でＹＥＳ）、優先出力レベルＳ［１］の値を最終出力レベルＺ［１］に代入する（＃１０５）。一方、優先フラグＦ［１］がＯＦＦであれば（＃１０４でＮＯ）、ハイエスト演算処理を実行して最終出力レベルＺ［１］を決定する（＃１０６）。そして、回路番号ｉの値をインクリメントして（＃１０７）、ステップ＃１０２からの処理を繰り返すことにより、全ての回路番号ｉについて最終出力レベルＺ［ｉ］を決定する。
【００４４】
。
上記のような優先制御処理を実行し、優先出力レベルＳ［ｉ］が設定された回路に対してはハイエスト演算処理から切り離して、優先出力レベルＳ［ｉ］による調光制御を行うことにより、優先回路に属する照明負荷８の光出力レベルを上昇させたり、下降させることが瞬時的に行えることになる。
【００４５】
図１４は、本実施形態における通常モード時の演算モデルを示す図であり、上記図４のハイエスト演算処理、図１０のクロスＡＢ演算処理、及び図１３の優先制御処理時の最終出力レベル演算処理の関係を示す図である。同図においては、まず、図４に示されるハイエスト演算処理により出力レベルＰ［ｉ］を決定し、図１０に示されるクロスＡＢ演算処理により出力レベルＱ［ｉ］を決定する。更に、ハイエスト演算処理により、これら出力レベルＰ［ｉ］，Ｑ［ｉ］のうちで、より出力レベルが高くなるほうの出力レベルを出力レベルＲ［ｉ］として決定する。そして、この出力レベルＲ［ｉ］と、優先出力レベルＳ［ｉ］に基づいて、優先制御処理時の最終出力レベル演算処理により最終出力レベルＺ［ｉ］を決定する（すなわち優先フラグＦ［ｉ］がＯＮのときは、Ｓ［ｉ］に基づいて最終出力レベルＺ［ｉ］が決定され、優先フラグＦ［ｉ］がＯＦＦのときは、出力レベルＲ［ｉ］に基づいて最終出力レベルＺ［ｉ］が決定される）。
【００４６】
次に、本実施形態の複数シーンクロスチェンジ処理について、図１５及び図１６のフローチャート、並びに図１７の演算モデルを参照して説明する。調光装置１は、通常モードで調光制御が行われている状態で、クロススイッチ３９が押下されると、クロスチェンジモードに移行する。
【００４７】
クロスチェンジモードに移行すると、中央演算処理部４は、クロススイッチ３９の押下時の最終出力レベルＺ［ｉ］をクロスチェンジ元の出力レベルＸ［ｉ］として記憶する（＃１２１）。そして、シーンレベルフェーダ３５ａ〜３５ｊのシーンレベルＬｓ［ｊ］を最終出力レベルＺ［ｉ］の演算から切り離すと共に、シーンレベル表示部３６のシーンレベルの表示を”０”にして、クロスチェンジ先のシーンレベルの設定を受け付け、セットスイッチ４０が押下されたか否か判断する（第１の手段，第１の手順）（＃１２２，＃１２３）。ユーザはこの状態でシーンレベルフェーダ３５ａ〜３５ｊを操作してクロスチェンジ先のシーンレベルを設定し、設定が終了するとセットスイッチ４０を押下する。
【００４８】
ユーザによりセットスイッチ４０が押下されると（＃１２３でＹＥＳ）、セットスイッチ４０の押下時のシーンレベルＬｓ［ｊ］をクロスチェンジ先のシーンレベルＬｙ［ｊ］として記憶する（＃１２４）。次いで、ステップ＃１２５からステップ＃１２９までの処理を実行することにより、クロスチェンジ元のシーン再生状態からクロスチェンジ先のシーン再生状態にクロスチェンジする（第２の手段，第２の手順）。このクロスチェンジ動作は、まず、メインレベルフェーダ３７のレベルＬｖを”０”に設定し（＃１２５）、クロスチェンジモード時の最終出力レベル演算処理を実行する（＃１２７）ことにより成される。
【００４９】
図１６に示されるように、クロスチェンジモード時の最終出力レベル演算処理においては、クロスチェンジ先のシーンレベルＬｙ［ｉ］を用いてハイエスト演算処理を実施し、クロスチェンジ先の出力レベルＹ［ｉ］を算出する（＃１４１）。そして、回路番号ｉの値を”１”に設定すると共に（＃１４２）、最終出力レベルＺ［１］の値を”０”に初期化する（＃１４３）。そして、以下の式（３）により最終出力レベルＺ［１］を算出する（＃１４５）。
（数３）
Ｚ［ｉ］＝Ｙ［ｉ］×Ｌｖ＋Ｘ［ｉ］×（１−Ｌｖ）      （３）
【００５０】
そして、最終出力レベルＺ［１］が決定すると、シーン番号ｊの値をインクリメントして（＃１４６）、ステップ＃１４３からの処理を繰り返し、以下同様にして全てのＺ［ｉ］を決定する。なお、式（３）から分かるように、セットスイッチ４０押下時は、Ｌｖ＝０となるためＺ［ｉ］＝Ｘ［ｉ］となりクロスチェンジ元のシーン状態が再生される一方、Ｌｖ＝１では、Ｚ［ｉ］＝Ｙ［ｉ］となりクロスチェンジ先のシーン状態が再生される。
【００５１】
上記演算処理が終了すると、中央演算処理部４は、最終出力レベルＺ［ｉ］を調光器７に出力すると共に（図１５の＃１２８）、メインレベルフェーダ３７からのレベルＬｖの入力を受け付け（＃１２９）、以下、レベルＬｖの値が”１”（１００％）になるまで（＃１２６でＮＯ）、ステップ＃１２６からステップ＃１２９までの処理を繰り返し、レベルＬｖに応じた最終出力レベルＺ［ｉ］を調光器７に出力する。そして、レベルＬｖの値が”１”になると（＃１２６でＮＯ）、通常モードへ移行する。
【００５２】
次に、図１８を参照して、複数シーンクロスチェンジ処理を途中で中断する際に行われるクロスチェンジモード中断処理について説明する。クロスチェンジモード中断処理は、複数シーンクロスチェンジ処理中に、例えば、クロススイッチ３９が押下された場合に実施され、クロスチェンジモードを中断して通常モードに移行する際に、明かりが急激に変化しないようにするために実施される。
【００５３】
クロスチェンジモード中断処理が開始されると、中央演算処理部４は、クロススイッチ３９が押下された時点のクロスチェンジモード時の最終出力レベルＺ［ｉ］を、出力レベルＵ［ｉ］として記憶する（＃１６１）。そして、クロスＡＢ処理を解除すると共に（＃１６２）、優先制御処理を解除する（全ての優先フラグＦ［ｉ］をＯＦＦにする）（＃１６３）。そして、クロスＡＢ処理及び優先制御処理を解除した状態で、通常モード時の最終出力レベルを算出し（図１４における出力レベルＰ［ｉ］に相当）、出力レベルＶ［ｉ］として記憶する（＃１６４）。そして、回路番号ｉの値を”１”に設定し（＃１６５）、出力レベルＵ［１］と出力レベルＶ［１］の値が一致するか否か判断する（＃１６７）。出力レベルＵ［１］と出力レベルＶ［１］の値が一致しない場合には（＃１６７でＹＥＳ）、出力レベルＵ［１］の値を優先出力レベルＳ［１］に代入すると共に（＃１６８）、優先フラグ［１］をＯＮにし（＃１６９）、回路番号ｉの値をインクリメントして（＃１７０）、ステップ＃１６６からの処理を繰り返す。一方、出力レベルＵ［１］と出力レベルＶ［１］の値が一致する場合には（＃１６７でＮＯ）、優先出力レベルＳ［１］及び優先フラグＦ［１］を設定せずに、回路番号ｉの値をインクリメントして（＃１７０）、ステップ＃１６６からの処理を繰り返す。そして、全ての回路番号ｉについてステップ＃１６６からステップ＃１７０までの処理が終了すると（＃１６６でＹＥＳ）、優先制御処理へ移行する。
【００５４】
すなわち、クロススイッチ３９が押下された時点のクロスチェンジモード時の最終出力レベルＵ［ｉ］（Ｚ［ｉ］）と、通常モード時の出力レベルＶ［ｉ］とが異なる場合（＃１６７でＹＥＳ）、クロスチェンジモードを中断して通常モードに移行すると最終出力レベルＺ［ｉ］が急激に変化する虞があるため優先制御とする（優先フラグＦ［ｉ］＝ＯＮ）一方、クロススイッチ３９が押下された時点のクロスチェンジモード時の最終出力レベルＵ［ｉ］と、通常モード時の出力レベルＶ［ｉ］が一致する場合には（＃１６７でＮＯ）、優先制御にしなくても最終出力レベルＺ［ｉ］は変化しないため、優先制御しない（優先フラグＦ［ｉ］＝ＯＦＦ）ようにする。
【００５５】
本実施形態の調光装置１によれば、第１の実施形態と同様の効果が得られる他、クロスＡＢ処理や、優先制御処理が実施可能な調光装置においても複数シーンを同時にクロスチェンジすることができる。
【００５６】
次に、本発明の第３の実施形態に係る調光装置１について説明する。本実施形態の調光装置１は、第２の実施形態と比較して複数シーンクロスチェンジ処理及びクロスチェンジモード時の最終出力レベル演算処理が異なり、他の構成は、第２の実施形態と同様である。
【００５７】
本実施形態の複数シーンクロスチェンジ処理について、図１９及び図２０のフローチャート、並びに図２１の演算モデルを参照して説明する。調光装置１は、通常モードで調光制御が行われている状態で、クロススイッチ３９が押下されると、クロスチェンジモードに移行する。
【００５８】
クロスチェンジモードに移行すると、中央演算処理部４は、シーンレベルフェーダ３５ａ〜３５ｊのシーンレベルＬｓ［ｊ］を最終出力レベルＺ［ｉ］の演算から切り離すと共に、シーンレベル表示部３６のシーンレベルの表示を”０”にして、クロスチェンジ先のシーンレベルの設定を受け付け、セットスイッチ４０が押下されたか否か判断する（第１の手段，第１の手順）（＃１８１，＃１８２）。ユーザはこの状態でシーンレベルフェーダ３５ａ〜３５ｊを操作してクロスチェンジ先のシーンレベルを設定し、設定が終了するとセットスイッチ４０を押下する。
【００５９】
ユーザによりセットスイッチ４０が押下されると（＃１８２でＹＥＳ）、セットスイッチ４０の押下時のシーンレベルＬｓ［ｊ］をクロスチェンジ先のシーンレベルＬｙ［ｊ］として記憶する（＃１８３）。次いで、ステップ＃１８４からステップ＃１８８までの処理を実行することにより、クロスチェンジ元のシーン再生状態からクロスチェンジ先のシーン再生状態にクロスチェンジする（第２の手段，第２の手順）。このクロスチェンジ動作は、まず、メインレベルフェーダ３７のレベルＬｖを”０”に設定して（＃１８４）、クロスチェンジモード時の最終出力レベル演算処理を実行する（＃１８６）ことによりなされる。
【００６０】
図２０に示されるように、クロスチェンジモード時の最終出力レベル演算処理においては、まず、通常モード時の最終出力レベル（通常モードとして演算した場合の出力レベル）を算出して、算出した値をクロスチェンジ元の出力レベルＸ［ｉ］とすると共に（＃２０１）、クロスチェンジ先のシーンレベルＬｙ［ｉ］を用いてハイエスト演算処理を実施し、クロスチェンジ先の出力レベルＹ［ｉ］を算出する（＃２０２）。そして、回路番号ｉの値を”１”に設定すると共に（＃２０３）、最終出力レベルＺ［１］の値を”０”に初期化する（＃２０４）。そして、上記式（３）によりＺ［１］を算出し（＃２０６）、シーン番号ｊの値をインクリメントして（＃２０７）、ステップ＃２０４からの処理を繰り返すことにより全てのＺ［ｉ］を決定する。
【００６１】
上記演算処理が終了すると、中央演算処理部４は、最終出力レベルＺ［ｉ］を調光器７に出力すると共に（図１９の＃１８７）、メインレベルフェーダ３７からのレベルＬｖの入力を受け付け（＃１８８）、以下、レベルＬｖの値が”１”（１００％）になるまで（＃１８５でＮＯ）、ステップ＃１８５からステップ＃１８８までの処理を繰り返し、レベルＬｖに応じた最終出力レベルＺ［ｉ］を調光器７に出力する。そして、レベルＬｖの値が”１”になると（＃１８５でＮＯ）、通常モードへ移行する。
【００６２】
本実施形態によれば、上記第２の実施形態と同様の効果が得られる他、クロスチェンジモード時に、通常モード時の最終出力レベルを算出し、その値をクロスチェンジ元の出力レベルＸ［ｉ］として、クロスチェンジモード時の最終出力レベルＺ［ｉ］を演算するので、クロスチェンジ時にシーンレベルフェーダ３５ａ〜３５ｊを操作することによりクロスチェンジ元のシーンレベルを調整することが可能になる（すなわち、クロススイッチ３９の押下時に、クロスチェンジ元のシーン再生状態が固定されない）。
【００６３】
次に、本発明の第４の実施形態に係る調光装置、及びこの調光装置を遠隔制御する遠隔制御装置を備えた調光装置システムについて説明する。図２２に示されるように、本実施形態の調光装置システム１０は、遠隔制御装置２０と通信を行う通信部９を備えた調光装置１と、この通信部９を介して調光装置１を遠隔制御して、データ記憶部５に記憶された出力レベルに基づいて照明負荷８を調光制御し、シーンを再生させる遠隔制御装置２０とを備えている。
【００６４】
図２３に示されるにように、遠隔制御装置２０は、シーン選択スイッチ２１及び、メインレベルフェーダ２２、及びクロススイッチ２３とを備えており、上記第１乃至第３の実施形態と同様に、クロススイッチ２３を押下することによりクロスチェンジモードに移行する。
【００６５】
ユーザは、シーン選択スイッチ２１を操作することによりクロスチェンジ先のシーンレベルを設定する。この場合、シーン選択スイッチ３４が奇数回だけ押下されたときには、シーンレベルＬｓ［ｊ］を”１”（１００％）とし、シーン選択スイッチ３４が０回又は偶数回だけ押下されたときには、シーンレベルＬｓ［ｊ］を”０”（０％）とする。
【００６６】
そして、ユーザにより再度、クロススイッチ２３が押下された場合には（この場合、クロススイッチ２３は上記第１乃至第３の実施形態のセットスイッチ４０に相当）、シーンレベルＬｓ［ｊ］をクロスチェンジ先のシーンレベルＬｙ［ｊ］として設定し、第１乃至第３の実施形態と同様の手順により、メインレベルフェーダ２３のレベルＬｖに応じてクロスチェンジモード時の最終出力レベルＺ［ｉ］を演算する。
【００６７】
本実施形態における調光装置システム１０によれば、上記第１乃至第３の実施形態と同様の効果が得られる他、遠隔制御装置２０による調光制御が可能となるので、調光装置１が設置された場所に制限されず、任意の場所で調光制御することが可能となり、調光装置システム１０の使い勝手を向上させることができる。
【００６８】
なお、本発明は上記実施形態の構成に限られることなく種々の変形が可能である。例えば、各回路に接続される照明負荷８は１つでなくてもよく、各回路に複数の照明負荷８を接続するようにしてもよい。
【図面の簡単な説明】
【００６９】
【図１】本発明の第１の実施形態に係る調光装置のブロック図。
【図２】同調光装置の調光卓の正面図。
【図３】同調光装置のタッチパネルを示す図。
【図４】同調光装置によるハイエスト演算処理を示すフローチャート。
【図５】同ハイエスト演算処理の演算モデルを示す図。
【図６】同調光装置による複数シーンクロスチェンジ処理を示すフローチャート。
【図７】同調光装置によるクロスチェンジモード時の最終出力レベル演算処理を示すフローチャート。
【図８】同複数シーンクロスチェンジ処理の説明図。
【図９】本発明の第２の実施形態に係る調光装置の調光卓の正面図。
【図１０】同調光装置によるクロスＡＢ演算処理を示すフローチャート。
【図１１】同クロスＡＢ演算処理の演算モデルを示す図。
【図１２】同調光装置による優先回路設定処理を示すフローチャート。
【図１３】同調光装置による優先制御処理時の最終出力レベル演算処理を示すフローチャート。
【図１４】同調光装置の通常モード時の演算モデルを示す図。
【図１５】同調光装置による複数シーンクロスチェンジ処理を示すフローチャート。
【図１６】同調光装置によるクロスチェンジモード時の最終出力レベル演算処理を示すフローチャート。
【図１７】同調光装置のクロスチェンジモード時の演算モデルを示す図。
【図１８】同調光装置によるクロスチェンジモード中断処理を示すフローチャート。
【図１９】本発明の第３の実施形態に係る調光装置による複数シーンクロスチェンジ処理を示すフローチャート。
【図２０】同調光装置によるクロスチェンジモード時の最終出力レベル演算処理を示すフローチャート。
【図２１】同調光装置のクロスチェンジモード時の演算モデルを示す図。
【図２２】本発明の第４の実施形態に係る調光装置システムのブロック図。
【図２３】同調光装置システムの遠隔制御装置の正面図。
【符号の説明】
【００７０】
１    調光装置
２    表示部
３    操作入力部
４    中央演算処理部
５    データ記憶部
６    出力部
７    調光器
８    照明負荷
１０  調光装置システム
２０  遠隔制御装置
【図１】
2006147489.tif 000003
【図２】
2006147489.tif 000004
【図３】
2006147489.tif 000005
【図４】
2006147489.tif 000006
【図５】
2006147489.tif 000007
【図６】
2006147489.tif 000008
【図７】
2006147489.tif 000009
【図８】
2006147489.tif 000010
【図９】
2006147489.tif 000011
【図１０】
2006147489.tif 000012
【図１１】
2006147489.tif 000013
【図１２】
2006147489.tif 000014
【図１３】
2006147489.tif 000015
【図１４】
2006147489.tif 000016
【図１５】
2006147489.tif 000017
【図１６】
2006147489.tif 000018
【図１７】
2006147489.tif 000019
【図１８】
2006147489.tif 000020
【図１９】
2006147489.tif 000021
【図２０】
2006147489.tif 000022
【図２１】
2006147489.tif 000023
【図２２】
2006147489.tif 000024
【図２３】
2006147489.tif 000025